(57)【特許請求の範囲】
【請求項１】
リモコン（５０）を介してアドレスを変更可能な空調室内機であって、
アドレス切換信号を前記リモコン（５０）から無線で受ける受信部（４２）と、
前記アドレス切換信号を受けたことを報知する報知部（４４）と、
前記アドレス切換信号を受け、ユーザーにアドレスを確定させるために所定時間だけ待機状態をとって、前記待機状態中に前記報知部（４４）を介してユーザーへの報知を行う制御部（４０）と、
アドレスを確定する確定手段（４６）と、
を備える空調室内機（１０）。
【請求項２】
前記報知部（４４）は、運転中であることを表示する運転ＬＥＤを含み、
前記制御部（４０）は、前記アドレス切換信号を受けたとき、前記運転ＬＥＤを点滅させる、
請求項１に記載の空調室内機（１０）。
【請求項３】
前記確定手段（４６）は、空調運転を開始または停止させる運転スイッチを含み、
前記制御部（４０）は、前記所定時間が経過するまでに前記運転スイッチが押されたとき、アドレスを切り換えて前記報知部（４４）の動作を停止する、
請求項１又は請求項２に記載の空調室内機（１０）。
【請求項４】
前記制御部（４０）は、前記所定時間が経過するまでに前記運転スイッチが押されなかったとき、アドレスを切り換えることなく前記報知部（４４）の動作を停止する、
請求項３に記載の空調室内機（１０）。
【請求項５】
アドレスを切り換えたことを通知する切換完了信号を前記リモコン（５０）へ送信する送信部（４８）をさらに備え、
切換後のアドレスは、前記リモコン（５０）が前記切換完了信号を受信し、前記切換完了信号が前記リモコン（５０）によって受信されたことを確認する操作が前記リモコン（５０）に対して行われることによって確定される、
請求項１に記載の空調室内機（１０）。
【発明の詳細な説明】
【技術分野】
【０００１】
本発明は、空調室内機に関し、特に、リモコンを介してアドレスを変更可能な空調室内機に関する。
【背景技術】
【０００２】
空調室内機のアドレス切換をリモコンで行う際、一室に複数台の室内機が設置されている場合、一つの室内機のアドレスを切り換えようとして、切り換える必要のない他の室内機のアドレスをも切り換えてしまうことがある。それを防止するために、例えば、特開２００２−７１１９６号公報に記載の空気調和機では、リモコンの操作方向を特定の室内機のみが反応する方向に向けて切換スイッチを操作している。
【発明の概要】
【発明が解決しようとする課題】
【０００３】
ところが、一般ユーザーがリモコンの操作方向を特定の室内機のみに向けるという確実性は乏しい上に、リモコンと室内機とは赤外線信号を送受信しており、複数の室内機が一室に設置されている以上、リモコンからの赤外線信号は室内の静止物に反射してアドレスを切り換える必要のない室内機に受信されることもあり、結局、アドレスを切り換える必要のない室内機についてはその電源を切らなくてはならなかった。
【０００４】
本発明の課題は、他の空調室内機のアドレスを切り換えることなく、特定の空調室内機のアドレスのみを切り換えることができる空調室内機を提供することにある。
【課題を解決するための手段】
【０００５】
本発明の第１観点に係る空調室内機は、リモコンを介してアドレスを変更可能な空調室内機であって、受信部と、報知部と、制御部と、確定手段とを備えている。受信部は、アドレス切換信号をリモコンから無線で受ける。報知部は、アドレス切換信号を受けたことを報知する。制御部は、アドレス切換信号を受け、ユーザーにアドレスを確定させるために所定時間だけ待機状態をとって、待機状態中に報知部を介してユーザーへの報知を行う。確定手段は、アドレスを確定する。
【０００６】
この空調室内機では、アドレスが、所定時間の待機状態中に確定手段の操作によって確定される。それゆえ、複数の空調室内機がリモコンからのアドレス切換信号を受けて待機状態となっても、確定手段が操作されなかった空調室内機のアドレスは切り換わらない。その結果、アドレスを切り換える必要のない空調室内機のアドレスが切り換わるという問題が解消される。
【０００７】
本発明の第２観点に係る空調室内機は、第１観点に係る空調室内機であって、報知部が、運転中であることを表示する運転ＬＥＤを含む。制御部は、アドレス切換信号を受けたとき、運転ＬＥＤを点滅させる。
【０００８】
この空調室内機では、所定時間の待機状態中、運転ＬＥＤが点滅してアドレス切換信号を受けたことをユーザーに報知するので、ユーザーがアドレス切換の確定のタイミングを逸するという事態は回避される。また、空調室内機の既存の運転ＬＥＤを利用して報知するので、新たに報知用の部材を設ける必要がなく、コスト増を抑制することができる。
【０００９】
本発明の第３観点に係る空調室内機は、第１観点または第２観点に係る空調室内機であって、確定手段が、空調運転を開始または停止させる運転スイッチを含む。制御部は、所定時間が経過するまでに運転スイッチが押されたとき、アドレスを切り換えて報知部の動作を停止する。
【００１０】
この空調室内機では、既存の運転スイッチを利用して確定するので、新たにアドレス切換確定用の部材を設ける必要がなく、コスト増を抑制することができる。
【００１１】
本発明の第４観点に係る空調室内機は、第３観点に係る空調室内機であって、制御部が、所定時間が経過するまでに運転スイッチが押されなかったとき、アドレスを切り換えることなく報知部の動作を停止する。
【００１２】
この空調室内機では、ユーザーがアドレスを確定しなければ、前の設定を維持するだけであるので、空調室内機の運転に支障はない。
【００１３】
本発明の第５観点に係る空調室内機は、第１観点に係る空調室内機であって、送信部をさらに備える。送信部は、アドレスを切り換えたことを通知する切換完了信号をリモコンへ送信する。切換後のアドレスは、リモコンが切換完了信号を受信し、切換完了信号がリモコンによって受信されたことを確認する操作がリモコンに対して行われることによって確定される。
【００１４】
この空調室内機では、それゆえ、複数の空調室内機がリモコンからのアドレス切換信号を受けて待機状態となっても、リモコンが切換完了信号を受信し且つ確定手段が操作されなければ、空調室内機のアドレスは切り換わらない。その結果、アドレスを切り換える必要のない空調室内機のアドレスが切り換わるという問題が解消される。
【発明の効果】
【００１５】
本発明の第１観点に係る空調室内機では、アドレスを切り換える必要のない空調室内機のアドレスが切り換わるという問題が解消される。
【００１６】
本発明の第２観点に係る空調室内機では、ユーザーがアドレス切換の確定のタイミングを逸するという事態は回避される。また、新たに報知用の部材を設ける必要がなく、コスト増を抑制することができる。
【００１７】
本発明の第３観点に係る空調室内機では、新たなアドレス切換確定用の部材を設ける必要がなく、コスト増を抑制することができる。
【００１８】
本発明の第４観点に係る空調室内機では、ユーザーがアドレスを確定しなければ、前の設定を維持するだけであるので、空調室内機の運転に支障はない。
【００１９】
本発明の第５観点に係る空調室内機では、アドレスを切り換える必要のない空調室内機のアドレスが切り換わるという問題が解消される。
【図面の簡単な説明】
【００２０】
【図１】本発明の一実施形態に係る空調室内機の斜視図。
【図２】空調室内機のブロック図。
【図３】アドレス切換制御のフローチャート。
【図４Ａ】アドレス切換制御前の第１空調室内機および第２空調室内機の正面図。
【図４Ｂ】アドレス切換信号受信時の第１空調室内機および第２空調室内機の正面図。
【図４Ｃ】アドレス切換確定時の第１空調室内機および第２空調室内機の正面図。
【図４Ｄ】アドレス切換制御完了後の第１空調室内機および第２空調室内機の正面図。
【図５】変形例に係る空調室内機のブロック図。
【発明を実施するための形態】
【００２１】
以下図面を参照しながら、本発明の実施形態について説明する。なお、以下の実施形態は、本発明の具体例であって、本発明の技術的範囲を限定するものではない。
【００２２】
（１）空調室内機１０の構成
図１は、本発明の一実施形態に係る空調室内機１０の斜視図である。また、図２は、空調室内機のブロック図である。図１及び図２において、空調室内機１０は、壁掛け式の空調室内機である。本体ケーシング１１の前面側には、ワイヤレス・リモートコントロール・ユニット（以後、リモコン５０とよぶ）からの赤外線を受ける受光部４２が設けられている。リモコン５０から発せられる赤外線は、直に受光部４２に入ることもあれば、壁や物体に反射して受光部４２に入ることもある。
【００２３】
また、受光部４２の近傍には、運転ＬＥＤ４４が設けられている。運転ＬＥＤ４４は、通常、空調室内機１０が稼働しているときに点灯する。
【００２４】
さらに、本体ケーシング１１の下面には、運転スイッチ４６が設けられている。運転スイッチ４６は、通常、空調室内機１０を運転または停止させるときに操作される。つまり、空調室内機１０が停止中に押されたときは運転を開始し、運転中に押されたときは停止する。
【００２５】
図２に示すように、受光部４２、運転ＬＥＤ４４及び運転スイッチ４６は、制御部４０に接続されている。制御部４０は、受光部４２が受信した信号がアドレス切換信号であったとき、運転ＬＥＤ４４を点滅させ、ユーザーに空調室内機１０がアドレス切換待機状態になったことを知らせる。つまり、制御部４０は、運転ＬＥＤ４４を、アドレス切換待機状態を報知する手段として使用している。
【００２６】
運転ＬＥＤ４４の点滅は、所定時間ｔｐ継続させるが、所定時間ｔｐが経過するまでに、運転スイッチ４６が押されたとき、アドレスが切り換えられる。つまり、制御部４０は、運転スイッチ４６を、アドレス切換を確定する手段として使用している。以下、アドレス切換制御の動作について説明する。
【００２７】
（２）アドレス切換制御
図３は、アドレス切換制御のフローチャートである。図３において、ステップＳ１で制御部４０は、受光部４２がアドレス切換信号を受信したか否かを判定し、受信したときはステップＳ２へ進み、受信していないときは待機して判定を継続する。
【００２８】
ステップＳ２で制御部４０は、運転ＬＥＤ４４を点滅させ、ユーザーに空調室内機１０がアドレス切換待機状態になったことを知らせる。本実施形態では、運転ＬＥＤ４４の点滅は、消灯１秒―点灯１秒の周期でｔｐ＝６０秒間だけ継続される。
【００２９】
ステップＳ３で制御部４０は、タイマーを作動させて、受光部４２がアドレス切換信号を受信してからの経過時間ｔを計時する。
【００３０】
ステップＳ４で制御部４０は、経過時間ｔが所定時間ｔｐに達したか否かを判定し、経過時間ｔが所定時間ｔｐに達したときはステップＳ７へ進み、経過時間ｔが所定時間ｔｐに達していないときはステップＳ５へ進む。
【００３１】
ステップＳ５で制御部４０は、運転スイッチ４６が押されたか否かを判定し、運転スイッチ４６が押されたときはステップＳ６へ進み、運転スイッチ４６が押されていないときはステップＳ４へ戻る。
【００３２】
ステップＳ６で、制御部４０は、アドレスを切り換え、ステップＳ７へ進む。ステップＳ７で、制御部４０は、運転ＬＥＤ４４の点滅を停止する。
【００３３】
つまり、制御部４０は、受光部４２がリモコン５０からのアドレス切換信号を受けた後、運転ＬＥＤ４４を所定時間ｔｐだけ点滅させ、所定時間ｔｐ内に運転スイッチ４６が押されたときはアドレスを切り替え、所定時間ｔｐ内に運転スイッチ４６が押されなかったときはアドレスを切り換えない。
【００３４】
（３）ユーザーによる操作手順
次に、サービス・パーソンがアドレスを切り換える際の手順について説明する。図４Ａは、アドレス切換制御前の第１空調室内機１０Ａ及び第２空調室内機１０Ｂの正面図である。図４Ａにおいて、２つの空調室内機１０Ａ，１０Ｂが一空調対象空間に設置されている。以後、空調室内機１０Ａを第１空調室内機１０Ａ、空調室内機１０Ｂを第２空調室内機１０Ｂとよぶ。工場出荷時の第１空調室内機１０Ａ及び第２空調室内機１０Ｂのアドレスはともに［１］に設定されている。
【００３５】
図４Ｂは、アドレス切換信号受信時の第１空調室内機１０Ａ及び第２空調室内機１０Ｂの正面図である。図４Ｂにおいて、サービス・パーソンが第１空調室内機１０Ａのアドレスを［２］に切り換えるために、第１空調室内機１０Ａ用のリモコン５０Ａを介してアドレス切換信号を送信する。
【００３６】
リモコン５０Ａは、一般のリモコンと同様に表示画面と各種の操作ボタンが設けられており、所定のボタン操作によって表示画面にアドレス切換メニューを呼び出すことができる。サービス・パーソンは、表示画面に表示されたアドレス切換メニューからアドレス切換を実行する項目を選択し確定することによって、リモコン５０Ａからアドレス切換信号が送信される。また、リモコン５０Ａ自身のアドレスは、工場出荷時に［１］に設定されているが、アドレス切換信号を送信した時点で［２］に切り換わる。
【００３７】
第１空調室内機１０Ａでは、受光部４２がリモコン５０Ａからのアドレス切換信号を受けたとき、制御部４０は運転ＬＥＤ４４を点滅させて、アドレス切換待機状態であることをサービス・パーソンに知らせる。
【００３８】
また、リモコン５０Ａから送信されたアドレス切換信号は、空調対象空間内の壁や他の静止物に反射して、第２空調室内機１０Ｂの受光部４２に受信されることがある。この場合、第２空調室内機１０Ｂも運転ＬＥＤ４４を点滅させて、アドレス切換待機状態であることをサービス・パーソンに知らせる。
【００３９】
図４Ｃは、アドレス切換確定時の第１空調室内機１０Ａ及び第２空調室内機１０Ｂの正面図である。図４Ｃにおいて、サービス・パーソンは、アドレスを切り換えたい第１空調室内機１０Ａの運転スイッチ４６を押して、第１空調室内機１０Ａのアドレス切換を確定する。なお、通常停止状態で運転スイッチ４６が押された場合、第１空調室内機１０Ａは空調運転を開始するが、アドレス切換待機状態のときは運転オン・オフ機能はキャンセルされているので、運転スイッチ４６が押されてもアドレスが切り換えられるだけであり、空調運転が開始されることはない。
【００４０】
図４Ｄは、アドレス切換制御完了後の第１空調室内機１０Ａ及び第２空調室内機１０Ｂの正面図である。図４Ｄにおいて、第１空調室内機１０Ａでは、アドレス切換待機中に運転スイッチ４６が押されたので、制御部４０はアドレスを［１］から［２］に切り換えて、運転ＬＥＤ４４の点滅を停止する。
【００４１】
なお、第２空調室内機１０Ｂでは、アドレス切換待機状態中に運転スイッチ４６が押されなかったので、制御部４０は、受光部４２がアドレス切換信号を受けてから所定時間ｔｐが経過した後、運転ＬＥＤ４４の点滅を停止する。したがって、第２空調室内機１０Ｂのアドレスは［２］のままである。
【００４２】
上記のような手順によって、第１空調室内機１０Ａのアドレスが［１］から［２］に切り換えられる。また、サービス・パーソンは、第１空調室内機１０Ａのアドレスを［２］から［１］へ戻したいときも同様の手順を採ればよい。
【００４３】
（４）特徴
（４−１）
空調室内機１０では、受光部４２は、アドレス切換信号をリモコン５０から無線で受ける。制御部４０は、受光部４２がアドレス切換信号を受けた後、運転ＬＥＤ４４を所定時間ｔｐだけ点滅させて、アドレス切換待機状態であることをユーザーへ報知する。制御部４０は、所定時間ｔｐ内に運転スイッチ４６が押されたときは空調室内機１０のアドレスを切り換え、運転スイッチ４６が押されなかったときは空調室内機１０のアドレスを切り換えない。その結果、アドレスを切り換える必要のない空調室内機のアドレスが切り換わるという問題が解消される。
【００４４】
（４−２）
空調室内機１０では、所定時間ｔｐのアドレス切換待機状態中、運転ＬＥＤ４４が点滅してアドレス切換信号を受けたことをユーザーに報知するので、ユーザーがアドレス切換の確定のタイミングを逸するという事態は回避される。また、空調室内機１０の既存の運転ＬＥＤ４４を利用して報知するので、新たに報知用の部材を設ける必要がなく、コスト増を抑制することができる。
【００４５】
（４−３）
空調室内機１０では、既存の運転スイッチ４６を利用してアドレス切換を確定するので、新たにアドレス切換確定用の部材を設ける必要がなく、コスト増を抑制することができる。
【００４６】
（４−４）
空調室内機１０では、ユーザーが所定時間ｔｐ内に運転スイッチ４６を押さず、アドレス切換が確定しなければ、前の設定を維持するだけであるので、空調室内機１０の運転に支障はない。
【００４７】
（５）変形例
上記実施形態では、運転ＬＥＤ４４が点滅している間に運転スイッチ４６が押されることによってアドレス切換が確定されているが、これに限定されるものではない。
【００４８】
図５は、変形例に係る空調室内機のブロック図である。図５において、空調室内機１０は、送信部４８をさらに備えている。送信部４８は、アドレスが切り換えられたこと通知する切換完了信号をリモコン５０に送信する。
【００４９】
ユーザーは、リモコン５０が切換完了信号を受信したことを確認する操作、例えば、リモコン５０の運転スイッチを押す操作によって確定することができる。この変形例では、ユーザーによる２重の確認操作を経てアドレス切換が確定するので、誤操作によるアドレスの誤設定が防止される。
【産業上の利用可能性】
【００５０】
本発明によれば、アドレス切換信号を受信した全ての空調室内機の運転ＬＥＤを点滅させ、アドレスを切り換えるべき空調室内機の運転スイッチを押すことによって、その室内機のアドレスが切り換わる。これは、本願の実施形態で説明した壁掛け式空調室内機に限らず、一つの部屋に２台以上設置される天井埋込式空調室内機にも有用である。
【符号の説明】
【００５１】
１０  空調室内機
４０  制御部
４２  受光部（受信部）
４４  運転ＬＥＤ（報知部）
４６  運転スイッチ（確定手段）
４８  送信部
５０  リモコン
【先行技術文献】
【特許文献】
【００５２】
【特許文献１】特開２００２−７１１９６号公報
【図１】
0005516556.tif 000002
【図２】
0005516556.tif 000003
【図３】
0005516556.tif 000004
【図４Ａ】
0005516556.tif 000005
【図４Ｂ】
0005516556.tif 000006
【図４Ｃ】
0005516556.tif 000007
【図４Ｄ】
0005516556.tif 000008
【図５】
0005516556.tif 000009